(57)【要約】【課題】照明器具の施工性の低下を抑えつつ、照明器具に対して信頼性の高い梱包状態を維持すること。【解決手段】梱包材９０は、照明器具の器具本体１０における長尺の収容凹部１６内に収容される保持部９０Ａ及び規制部９０Ｂを備える。照明器具の常用照明装置及び非常用照明装置３は、収容凹部１６内においてその長手方向に沿って支持される。非常用照明装置３は、非常用光源ユニット４と非常用電源ユニット５と制御装置６とカバー７とを備える。カバー７は、非常用光源ユニット４及び非常用電源ユニット５を覆う。保持部９０Ａは、制御装置６に対して非接続状態にある非常用電源ユニット５を収容凹部１６内で保持するように構成されている。規制部９０Ｂは、収容凹部１６において非常用光源ユニット４から離されて配置されたカバー７の変位を規制するように構成されている。【選択図】図１
2018154396.tif 000002
【特許請求の範囲】
【請求項１】
照明器具の器具本体における長尺の収容凹部内に収容される保持部及び規制部を備え、
前記照明器具の常用照明装置及び非常用照明装置は、前記収容凹部内においてその長手方向に沿って支持されるように構成され、
前記非常用照明装置は、
非常用光源ユニットと、
非常用電源ユニットと、
前記非常用電源ユニットと電気的に接続されて前記非常用光源ユニットを点灯する制御装置と、
前記非常用光源ユニットから放射される光が通過する孔を有して、前記非常用光源ユニット及び前記非常用電源ユニットを覆うカバーと
を備え、
前記保持部は、前記制御装置に対して非接続状態にある前記非常用電源ユニットを前記収容凹部内で保持するように構成され、
前記規制部は、前記収容凹部において前記非常用光源ユニットから離されて配置された前記カバーの変位を規制するように構成されている
ことを特徴とする梱包材。
【請求項２】
前記保持部は、
前記収容凹部の底面と対向して配置される底板と、
前記底板の厚み方向及び前記長手方向に直交する幅方向における、前記底板の両端から立ち上がる一対の側板と
を有し、
前記保持部は、前記底板と前記一対の側板とによって囲まれた空間内に前記非常用電源ユニットを収容するように構成されている
ことを特徴とする請求項１に記載の梱包材。
【請求項３】
前記一対の側板のうち少なくとも一方の側板は、前記非常用電源ユニットから前記幅方向に沿って突出している突出部位を逃がすための逃がし溝を有している
ことを特徴とする請求項２に記載の梱包材。
【請求項４】
前記規制部は、前記保持部の前記底板との間で、前記厚み方向に沿って前記カバーの少なくとも一部を挟み込むように構成されている
ことを特徴とする請求項２に記載の梱包材。
【請求項５】
前記保持部は、前記カバーから前記収容凹部の底面に向かって突出している突起部位と前記底面との間に配置される突起受部を有している
ことを特徴とする請求項１〜４のいずれか１項に記載の梱包材。
【請求項６】
前記保持部と前記規制部とは、互いに一体となって形成されている
ことを特徴とする請求項１〜５のいずれか１項に記載の梱包材。
【請求項７】
前記保持部と前記規制部とは、互いに別体となって形成されていて、
前記保持部は、溝部を有し、
前記規制部は、前記溝部に挿入されて前記保持部に対して当該規制部が位置決めされる挿入部を有している
ことを特徴とする請求項１〜５のいずれか１項に記載の梱包材。
【請求項８】
請求項１〜７のいずれか１項の梱包材と、
前記梱包材の前記保持部により前記非常用電源ユニットが保持されて、かつ、前記梱包材の前記規制部により前記カバーの変位が規制された状態で、前記器具本体及び前記非常用照明装置が収容される外装箱と
を備える
ことを特徴とする梱包装置。
【発明の詳細な説明】
【技術分野】
【０００１】
本発明は、一般に梱包材及び梱包装置に関し、より詳細には、常用照明と非常用照明を行う照明器具を梱包する梱包材、及び当該梱包材を備える梱包装置に関する。
【背景技術】
【０００２】
従来例として、特許文献１記載の照明器具を例示する。この従来例は、器具本体と、常用照明用の常用光源ユニットと、非常時照明用の非常用照明装置とを備えている。器具本体は、下面が開口する長尺かつ矩形の箱形に形成されている。
【０００３】
非常用照明装置は、非常用光源ユニットと、制御装置とを備える。非常用光源ユニットは、ＬＥＤモジュール、レンズ、カバー、非常用電源（蓄電池）などを備える。ＬＥＤモジュールの前方にレンズが配置される。カバーは、レンズを前方に露出するようにしてＬＥＤモジュールの前方に配置される。非常用電源は、ＬＥＤモジュールの後方に配置されている。制御装置は、常用電源（例えば商用の交流電源）から供給される電力で非常用電源を充電する充電回路と、常用電源の停電時に非常用電源を電源としてＬＥＤモジュールを点灯させる非常用電源回路とを備える。
【先行技術文献】
【特許文献】
【０００４】
【特許文献１】特開２０１６−１３４２０８号公報
【発明の概要】
【発明が解決しようとする課題】
【０００５】
ところで、この従来例の照明器具を例えば製造後に梱包する場合、非常用照明装置の非常用電源（蓄電池）は、電力の消耗を防ぐために制御装置に対して非接続状態で梱包されることが望ましい。ただし、照明器具によっては、構造上、非常用電源が、非接続状態とするために器具本体内において非常用照明装置の他の構成部品から離して同梱される場合もある。しかし、単に非常用電源を器具本体内に収容するだけでは、非常用電源の収まりが悪くなる可能性がある。なお、非常用電源が器具本体とは別梱包で輸送及び保管されてもよいが、この場合、照明器具の施工時に対応する非常用電源を探す手間や、非常用電源の梱包を別途開梱する余計な作業が増えてしまう。
【０００６】
また、照明器具によっては、非常用電源の取外しを行う際に、先にレンズと非常用電源とを覆っているカバーの取外しを行うことが必要なものもある。したがって、非常用電源が非常用照明装置の他の構成部品から離して同梱される場合には、照明器具の施工性の点から、カバーも予め取り外した状態で同梱することが望ましい。しかし、単にカバーを器具本体に載せ置くだけでは、非常用電源と同様に、カバーの収まりが悪くなる可能性がある。
【０００７】
本発明は上記事由に鑑みてなされ、照明器具の施工性の低下を抑えつつ、照明器具に対して信頼性の高い梱包状態を維持することができる梱包材、及び当該梱包材を備える梱包装置を提供することを目的とする。
【課題を解決するための手段】
【０００８】
本発明の一態様に係る梱包材は、照明器具の器具本体における長尺の収容凹部内に収容される保持部及び規制部を備える。前記照明器具の常用照明装置及び非常用照明装置は、前記収容凹部内においてその長手方向に沿って支持されるように構成されている。前記非常用照明装置は、非常用光源ユニットと、非常用電源ユニットと、制御装置と、カバーとを備える。前記制御装置は、前記非常用電源ユニットと電気的に接続されて前記非常用光源ユニットを点灯する。前記カバーは、前記非常用光源ユニットから放射される光が通過する孔を有して、前記非常用光源ユニット及び前記非常用電源ユニットを覆う。前記保持部は、前記制御装置に対して非接続状態にある前記非常用電源ユニットを前記収容凹部内で保持するように構成されている。前記規制部は、前記収容凹部において前記非常用光源ユニットから離されて配置された前記カバーの変位を規制するように構成されている。
【０００９】
本発明の一態様に係る梱包装置は、前記梱包材と、外装箱とを備える。前記外装箱は、前記梱包材の前記保持部により前記非常用電源ユニットが保持されて、かつ、前記梱包材の前記規制部により前記カバーの変位が規制された状態で、前記器具本体及び前記非常用照明装置が収容される。
【発明の効果】
【００１０】
本発明は、照明器具の施工性の低下を抑えつつ、照明器具に対して信頼性の高い梱包状態を維持することができる、という利点がある。
【図面の簡単な説明】
【００１１】
【図１】図１は、本発明の一実施形態に係る梱包材、並びに、当該梱包材により非常用照明装置のカバー及び非常用電源ユニットが梱包された状態の照明器具の斜視図である。
【図２】図２Ａは、同上の梱包材の保持部が展開された平面図であり、図２Ｂは、同上の梱包材の規制部が展開された平面図である。
【図３】図３は、同上の保持部及び規制部と、同上のカバー及び非常用電源ユニットの斜視図である。
【図４】図４は、同上の梱包材及び同上の照明器具の一部破断した正面図である。
【図５】図５Ａは、本発明の一実施形態に係る梱包装置及び同上の照明器具の斜視図であり、図５Ｂは、同上の梱包装置の外装箱の斜視図である。
【図６】図６は、同上の照明器具の要部の下方から見た分解斜視図である。
【図７】図７は、同上の照明器具の下方から見た分解斜視図である。
【図８】図８Ａは、同上の照明器具の正面図である。図８Ｂは、同上の照明器具の平面図である。図８Ｃは、同上の照明器具の左側面図である。
【図９】図９Ａは、同上の照明器具における非常用照明装置の正面図である。図９Ｂは、同上の照明器具における非常用照明装置の平面図である。図９Ｃは、同上の照明器具における非常用照明装置の右側面図である。
【図１０】図１０は、同上の照明器具における非常用照明装置の下方から見た分解斜視図である。
【図１１】図１１は、同上の照明器具における非常用光源ユニット及び制御装置の下方から見た分解斜視図である。
【図１２】図１２は、同上の照明器具における非常用電源ユニットの下方から見た分解斜視図である。
【発明を実施するための形態】
【００１２】
（１）概要
以下に説明する構成は、本発明の一例に過ぎず、本発明は、下記の構成に限定されることはなく、下記の構成以外であっても、本発明に係る技術的思想を逸脱しない範囲であれば、設計等に応じて種々の変更が可能である。
【００１３】
本実施形態の梱包材９０は、保持部９０Ａ及び規制部９０Ｂを備えている。保持部９０Ａ及び規制部９０Ｂは、照明器具１の器具本体１０における長尺の収容凹部１６内に収容される。本実施形態の照明器具１は、一例として、図７に示すように、執務室などの天井材１８（造営材）に吊りボルト１８０により直付けされる天井直付け形の照明器具であることを想定する。ただし、照明器具１は、この限りではなく、天井埋込形の照明器具又は壁に取り付けられる照明器具であってもよい。照明器具１は、天井埋込形の照明器具の場合、建物の躯体に埋め込まれている吊りボルトに固定されてもよい。
【００１４】
照明器具１の構成要素である常用照明装置２及び非常用照明装置３は、収容凹部１６内においてその長手方向に沿って支持されるように構成されている。非常用照明装置３は、非常用光源ユニット４と、非常用電源ユニット５と、制御装置６と、カバー７とを備えている。制御装置６は、非常用電源ユニット５と電気的に接続されて、非常用電源ユニット５から供給される電力により非常用光源ユニット４を点灯する。
【００１５】
カバー７は、非常用光源ユニット４から放射される光が通過する孔７１１を有して、非常用光源ユニット４及び非常用電源ユニット５を覆う。言い換えると、照明器具１は、使用時においては、カバー７が非常用電源ユニット５を覆う構造を有している。
【００１６】
保持部９０Ａは、制御装置６に対して非接続状態にある非常用電源ユニット５を収容凹部１６内で保持するように構成されている。規制部９０Ｂは、収容凹部１６において非常用光源ユニット４から離されて配置されたカバー７の変位を規制するように構成されている。
【００１７】
この構成では、梱包材９０が保持部９０Ａを備えている。そのため、制御装置６に対して非接続状態にある非常用電源ユニット５が器具本体１０の底面に単に載せ置かれる場合に比べて、器具本体１０内における非常用電源ユニット５の変位（がたつき）を抑えることができる。また、非常用電源ユニット５が器具本体１０とは別梱包で輸送及び保管される場合に比べて、照明器具１の施工性の低下を抑えることができる。
【００１８】
また、梱包材９０が規制部９０Ｂを備えているため、カバー７が予め取り外されていても安定して同梱することができる。要するに、非常用照明装置３の他の構成部品から離して同梱された非常用電源ユニット５を施工時に取付ける際に、一度カバー７を取り外すという余計な作業が無くなる。また、カバー７の変位が規制されるため、照明器具１に対して信頼性の高い梱包状態を維持することができる。
【００１９】
したがって、梱包材９０は、保持部９０Ａ及び規制部９０Ｂを備えていることで、照明器具１の施工性の低下を抑えつつ、照明器具１に対して信頼性の高い梱包状態を維持することができる。
【００２０】
なお、以下では、梱包材９０の保持部９０Ａ及び規制部９０Ｂが、２枚の紙製の段ボールシートから互いに別体となって形成されていることを想定して説明する。しかし、この限りではなく、保持部９０Ａ及び規制部９０Ｂは、１枚の段ボールシートから一体となって形成されていてもよい。また、梱包材９０は、緩衝部材として機能するものであれば、紙製の段ボールシート以外によって形成されていてもよく、例えば、発砲スチロール又はプラスチック段ボールシートによって形成されていてもよい。
【００２１】
また、本実施形態の梱包装置９は、上述の梱包材９０と、外装箱９１とを備えている。本実施形態では、一例として、照明器具１の構成要素の１つである常用照明装置２は、梱包装置９によって梱包されるのではなく、別梱包により輸送及び保管されることを想定する。言い換えると、照明器具１のうち常用照明装置２のみが、梱包装置９によって梱包される対象物ではない。したがって、図１及び図５では、常用照明装置２が図示されていない。
【００２２】
つまり、照明器具１の施工後の使用形態においては（図８Ａ〜８Ｃ参照）、常用照明装置２が非常用照明装置３とともに器具本体１０の収容凹部１６内に支持される。しかし、梱包状態（図１参照）においては、常用照明装置２が収容される予定の収容凹部１６内の空間領域の一部を利用して、梱包材９０、カバー７及び非常用電源ユニット５が収容されることになる。
【００２３】
（２）詳細
（２．１）全体構成
以下、本実施形態の梱包材９０を備えた梱包装置９の詳細を説明する前に、梱包装置９によって梱包される対象物となる照明器具１について、図６〜図１２を参照して詳しく説明する。以下では、特に断りの無い限り、梱包装置９及び照明器具１の上下、左右、前後の方向を、図７に図示されている上下、左右、前後の矢印を用いて規定して説明する。
【００２４】
本実施形態の照明器具１は、常用照明を行う常用照明装置２と、非常用照明を行う非常用照明装置３と、常用照明装置２及び非常用照明装置３を収容する器具本体１０とを備えている。また、本実施形態の照明器具１は、挿通孔１１０から引き込まれる電源線１７が結線される端子台１４を備えている。
【００２５】
（２．２）器具本体
器具本体１０は、金属材料によって長尺の箱形に形成されている。器具本体１０は、長尺の矩形平板状の天板１１と、天板１１の長手方向（左右方向）に沿った２つの端縁のそれぞれから下向きに突出する一対の第１側板１２とを有している。器具本体１０は、さらに、天板１１の短手方向（前後方向）に沿った２つの端縁のそれぞれから下向きに突出する一対の第２側板１３を有している。さらに、器具本体１０は、天板１１に対向する下面に開口部１５（図７参照）を有している。すなわち、器具本体１０は、天板１１と一対の第１側板１２と一対の第２側板１３とによって囲まれた、左右方向に延びる長尺の収容凹部１６を有している（図１及び図７参照）。常用照明装置２及び非常用照明装置３は、収容凹部１６内においてその長手方向に沿って支持されるように構成されている。
【００２６】
天板１１には、電源線１７を通すための挿通孔１１０が天板１１を厚み方向に貫通する丸孔として設けられている（図７参照）。また、天板１１には、２本の吊りボルト１８０をそれぞれ通すための２つの貫通孔１１１が天板１１を厚み方向に貫通する丸孔として設けられている（図７参照）。端子台１４は、天板１１の下面に取り付けられている。
【００２７】
照明器具１の天井材１８（図７参照）への取付け作業時には、作業者は、２本の吊りボルト１８０を２つの貫通孔１１１にそれぞれ通し、同時に、電源線１７を挿通孔１１０に通す。そして、作業者は、各吊りボルト１８０の先端をナットで締め付けることで、器具本体１０が天井材１８（図７参照）に固定される。その後、作業者は、挿通孔１１０から器具本体１０内へ引き込まれた電源線１７を端子台１４に接続すればよい。
【００２８】
器具本体１０は、図７に示すように、非常用照明装置３を左端近傍に収容するように構成され、非常用照明装置３の右側に常用照明装置２を収容するように構成されている。ただし、この限りではなく、器具本体１０は、非常用照明装置３を右端近傍に収容するように構成され、非常用照明装置３の左側に常用照明装置２を収容するように構成されてもよい。あるいは、器具本体１０は、２つの非常用照明装置３を左端近傍及び右端近傍の両方にそれぞれ収容するように構成されてもよい。この場合、常用照明装置２は、左右方向において、２つの非常用照明装置３の間に挟まれるように、器具本体１０内に収容される。
【００２９】
また、器具本体１０は、常用照明装置２及び非常用照明装置３が並ぶ並び方向（左右方向）における器具本体１０の両端に突起１００を有している（図７参照）。具体的には、器具本体１０の各第２側板１３は、その下端に常用照明装置２及び非常用照明装置３に向かって突出する突起１００を有している。各突起１００は、図７に示すように、下方から見て前後方向に延びる細長い矩形板状にある。各突起１００は、例えば折り曲げ加工によって第２側板１３と一体に形成されている。
【００３０】
本実施形態では、非常用照明装置３が器具本体１０の左端近傍に収容されるため、一対の第２側板１３のうち左端の第２側板１３の突起１００が、後述するカバー７の係止部７４が係止されるための部位に相当する。カバー７の係止部７４が、突起１００に係止することで、器具本体１０に対するカバー７の左端部の保持が達成される。ただし、器具本体１０が非常用照明装置３を右端近傍に収容するように構成されている場合には、カバー７の係止部７４が一対の第２側板１３のうち右端の第２側板１３の突起１００に係止することで、カバー７の一端部の保持が達成されてもよい。
【００３１】
本実施形態では、図１に示すように、照明器具１を例えば製造後に梱包する場合において、左端近傍に配置されている非常用照明装置３からカバー７が取り外されて、器具本体１０の右端近傍に配置される。ここで器具本体１０は、左右方向において面対称となる構成を採用している。すなわち、上述の通り、器具本体１０の右側の第２側板１３にも、突起１００が設けられている。したがって、係止部７４が右端の突起１００と対向するようにカバー７の向きを図７の状態から１８０度を変えて、カバー７を器具本体１０の右端近傍に載せ置くことで、カバー７の右側への更なる変位は、右端の突起１００によって規制される。
【００３２】
（２．３）常用照明装置
常用照明装置２は、常用光源２２（図７参照）と、常用光源２２が取り付けられる取付部材２１と、常用光源２２を覆う透光カバー２０と、常用光源２２を点灯する電源装置とを備えている。常用光源２２は、長尺の基板と、基板の表面に実装される多数のＬＥＤ（Light Emitting Diode）とを有している。取付部材２１は、金属材料によって長尺の樋状に形成されている。取付部材２１は、長尺の矩形板状に形成された底板と、底板の短手方向（前後方向）における両端から上向きに立ち上がる一対の側板２１０とを有している。常用光源２２は、取付部材２１の底板の下面に取り付けられる。電源装置は、端子台１４を介して常用電源（外部電源、例えば、商用の交流電源）から供給される交流電力を直流電力に変換するように構成されている。電源装置は、取付部材２１の底板の上面に取り付けられる。常用光源２２と電源装置は、底板に設けられた挿通孔に挿通される電線によって電気的に接続される。常用光源２２は、電線を介して電源装置から直流電力が供給されることによって点灯する。
【００３３】
透光カバー２０は、アクリル樹脂やポリカーボネート樹脂などの透光性を有する合成樹脂材料により上面が開口する長尺の箱形に形成されている。透光カバー２０の下面は、短手方向（前後方向）において両端から中央に向かってなだらかに下向きに突出する曲面形状に形成されている（図７参照）。なお、透光カバー２０を形成する合成樹脂材料には、拡散剤が混入されている。すなわち、常用光源２２から放射される光は、透光カバー２０を透過する際に拡散される。
【００３４】
常用照明装置２は、透光カバー２０を除く部分（取付部材２１の側板２１０，２１０及び電源装置など）が器具本体１０内に収容され、器具本体１０の開口部１５の大部分を透光カバー２０で塞ぐようにして器具本体１０に着脱可能に取り付けられる。ただし、常用照明装置２を器具本体１０に着脱可能に取り付ける構造は、特許文献１に記載されている従来例と共通であるから、詳細な説明及び図示は省略する。
【００３５】
（２．４）非常用照明装置
（２．４．１）非常用照明装置の全体構成
次に、非常用照明装置３について、図９Ａ〜図１２を参照して詳細に説明する。非常用照明装置３は、「（１）概要」の欄で説明したように、非常用光源ユニット４と、非常用電源ユニット５と、制御装置６と、カバー７と、を備えている（図９Ａ〜９Ｃ参照）。さらに、非常用照明装置３は、押さえ具８を備えている。
【００３６】
（２．４．２）非常用光源ユニット
非常用光源ユニット４は、図１０に示すように、ＬＥＤモジュール４０と、ホルダ４１と、一対の端子板４２と、放熱シートと、レンズ４４とを有している。ＬＥＤモジュール４０は、矩形平板状の実装基板４００の中央に少なくとも１個のＬＥＤチップが実装されて構成されている。ＬＥＤチップは、例えば、青色光を放射する青色発光ダイオードであることが好ましい。また、ＬＥＤチップを含む実装基板４００の実装面（下面）は、ＬＥＤチップから放射される青色光を波長変換する蛍光物質が混入された封止樹脂４０１で被われている（図１０参照）。さらに、実装基板４００の対角の位置にある一対の角部の下面には、それぞれ電極が形成されている。一方の電極は、ＬＥＤチップのカソードと電気的に接続され、他方の電極は、ＬＥＤチップのアノードと電気的に接続されている。さらに、これら２つの電極は、一対の端子板４２のうちの対応する端子板４２と電気的に接続されている。
【００３７】
レンズ４４は、例えばガラス製であって、図１０に示すように、レンズ本体４４０と、レンズ本体４４０の周縁から外向きに突出する円環状の外鍔部４４１とを有している。レンズ４４は、非球面形状の入射面及び出射面を有し、いわゆるバットウイング（batwing）状の配光特性を実現する広角配光レンズであることが好ましい。ただし、レンズ４４は、ガラス繊維が混入されることで耐熱性（難燃性）が向上された合成樹脂材料（例えば、ポリカーボネート樹脂など）で形成されてもよい。レンズ本体４４０は、カバー７の係止部７４が左端の突起１００に係止した係止状態において、孔７１１からカバー７の外部に突出する。
【００３８】
放熱シートは、高熱伝導率、電気絶縁性及び難燃性を有するシリコーン樹脂製のシート材で構成される。放熱シートは、ＬＥＤモジュール４０の実装基板４００の上面に接触する。
【００３９】
ホルダ４１は、例えばポリカーボネート樹脂などの合成樹脂材料により、上下方向から見て、おおよそ菱形に形成される（図１０参照）。ホルダ４１は、ＬＥＤモジュール４０の発光面（下面）にレンズ４４のレンズ本体４４０を重ねるようにして、ＬＥＤモジュール４０とレンズ４４を保持している。また、ホルダ４１は、端子板保持部４１０を有している。端子板保持部４１０は、上向きに伸びた角筒状に形成され、一対の端子板４２を内部に収容して保持している（図１０及び図１１参照）。
【００４０】
（２．４．３）非常用電源ユニット
非常用電源ユニット５は、図１２に示すように、乾電池型の複数（図示例では５本）の蓄電池５０と、これら複数の蓄電池５０を収容する合成樹脂材料製のケース５１と、第１導体５４と、第２導体５５とを備えている。ケース５１は、ケースボディ５２とケースカバー５３を有する。ケースボディ５２は、矩形の底壁５２０と、底壁５２０の前後両端縁から下向きに突出する一対の第１側壁５２１とを有している。また、ケースボディ５２は、底壁５２０の右側の端縁から下向きに突出する第２側壁５２２と、底壁５２０の左側の端縁から下向きに突出する第３側壁５２３とを有している。ただし、第３側壁５２３は、第１側壁５２１，５２１及び第２側壁５２２よりも上下方向の高さを高くするように形成されている。
【００４１】
底壁５２０は、その下面から下向きに突出する５つの突台部５２６を有している。これら５つの突台部５２６は、底壁５２０の下面において左右方向に並んでいる。また、各突台部５２６の下面は、半円筒面形状に形成されている。各突台部５２６の下面に蓄電池５０が１本ずつ載せられて支持される。ただし、５つの突台部５２６のうちで左端の突台部５２６は、他の４つの突台部５２６よりも下方に位置している。
【００４２】
第１側壁５２１，５２１の各々は、一対の突片５２１０を有している。各突片５２１０は、矩形の板状に形成され、第１側壁５２１の下端から下に突出している。また、各突片５２１０は、その先端（下端）に三角柱状の爪５２１１を有している。ただし、前方の第１側壁５２１が有する各突片５２１０の爪５２１１は前方へ突出し、後方の第１側壁５２１が有する各突片５２１０の爪５２１１は後方へ突出している。
【００４３】
第２側壁５２２は、その右側面における下端から右向きに突出している突部５２４を有する。突部５２４は、おおよそ直方体状に形成されている。ただし、突部５２４の右下の辺は、凸曲面形状に形成されることが好ましい。
【００４４】
第３側壁５２３は、矩形の板状に形成されている。第３側壁５２３は、その左側面における前方の下部に、端子保持部５２７を有している。端子保持部５２７は、軸方向を上下方向に一致させた角筒状に形成されている。また、端子保持部５２７内の空間は、隔壁５２７０によって２つに区切られている（図１２参照）。また、端子保持部５２７は、その前面における上端部分に、矩形板状のガイド片５２７１を有している。ガイド片５２７１は、厚み方向を左右方向に一致させるようにして端子保持部５２７の前面から前方へ突出している。
【００４５】
ケースカバー５３は、矩形の第１底壁５３０と、第１底壁５３０の左側の端縁から左斜め下向きに突出する矩形の第１側壁５３１と、第１底壁５３０及び第１側壁５３１の前後両端縁から上向きに突出する一対の第２側壁５３２とを有している。また、ケースカバー５３は、第１底壁５３０の右側の端縁から上向きに突出する第３側壁５３３と、第１側壁５３１の左側の端縁から左向きに突出する第２底壁５３４とを有している。
【００４６】
各第２側壁５３２は、一対の貫通孔５３２０を有している。また、前方の第２側壁５３２は、階段状に形成されている。
【００４７】
第３側壁５３３は、突片５３３０を有している。突片５３３０は、第３側壁５３３の後端寄りの上端から上に突出している。また、突片５３３０は、その先端（上端）に三角柱状の爪５３３１を有している。爪５３３１は、突片５３３０の上端における右側面から右方へ突出している。
【００４８】
第２底壁５３４は、矩形の板状に形成されている。第２底壁５３４は、その前方左端に蓋部５３５を有している。蓋部５３５は、左右方向から見た形状がＵ字状となるように形成されている。
【００４９】
５本の蓄電池５０は、各々の径方向に沿って互い違いに並ぶように配置される。右端の蓄電池５０の負極端子に、第１導体５４の一端部（右端の端部）が電気的に接続される。また、左端の蓄電池５０の正極端子に、第２導体５５の一端部（右端の端部）が電気的に接続される。右端の蓄電池５０の正極端子と、右から２番目の蓄電池５０の負極端子とが導体板５６によって電気的に接続される。右から２番目の蓄電池５０の正極端子と、右から３番目の蓄電池５０の負極端子とが導体板５６によって電気的に接続される。左端の蓄電池５０の負極端子と、左から２番目の蓄電池５０の正極端子とが導体板５６によって電気的に接続される。右から３番目の蓄電池５０の正極端子と、左から２番目の蓄電池５０の負極端子とが導体板５６によって電気的に接続される。つまり、５本の蓄電池５０は、４枚の導体板５６によって電気的に直列接続されている。
【００５０】
第１導体５４は、金属板によってＳ字状に形成されている（図１２参照）。第１導体５４の長手方向の一端（右端）が右端の蓄電池５０の負極端子と電気的に接続される。第１導体５４は、その長手方向の他端（左端）に第１コンタクト５７を有している。第１コンタクト５７は、角筒状の枠体５７０と、枠体５７０内に収容されるばね体とを有している。ばね体は、枠体５７０の上端に結合され、枠体５７０内において左右方向に撓み可能となるように枠体５７０と一体に形成されている。第１導体５４は、上側の第１側壁５２１及び第３側壁５２３に沿ってケースボディ５２内に収容される。また、第１コンタクト５７は、端子保持部５２７内の２つの空間のうちで隔壁５２７０の上側の空間に収容される。
【００５１】
第２導体５５は、金属板によってＳ字状に形成されている。第２導体５５の長手方向の一端（右端）が左端の蓄電池５０の正極端子と電気的に接続される。第２導体５５は、その長手方向の他端（左端）に第２コンタクト５８を有している。第２コンタクト５８は、角筒状の枠体と、枠体内に収容されるばね体とを有している。ばね体は、枠体の上端に結合され、枠体内において左右方向に撓み可能となるように枠体と一体に形成されている。第２導体５５は、下側の第１側壁５２１及び第３側壁５２３に沿ってケースボディ５２内に収容される。また、第２コンタクト５８は、端子保持部５２７内の２つの空間のうちで隔壁５２７０の下側の空間に収容される。
【００５２】
ケースボディ５２にケースカバー５３が結合されることによってケース５１が組み立てられる（図１０参照）。ケースボディ５２が有する４つの突片５２１０がそれぞれ、ケースカバー５３が有する４つの貫通孔５３２０のうちの対応する貫通孔５３２０に挿入される。さらに、ケースカバー５３が有する突片５３３０が、ケースボディ５２の突部５２４に設けられている貫通孔５２４０に挿入される。そして、突片５２１０、５３３０の先端に設けられている爪５２１１、５３３１が、貫通孔５３２０、５２４０の縁にそれぞれ引っ掛かることでケースボディ５２とケースカバー５３が結合される。なお、ケースボディ５２の端子保持部５２７の下側の開口部は、ケースカバー５３の蓋部５３５が被さることで閉じられる（図１０参照）。
【００５３】
（２．４．４）制御装置
制御装置６は、図１１に示すように、第１回路ブロック６０、第２回路ブロック６１、筐体６２、及び放熱板６３を備えている。第１回路ブロック６０は、矩形板状の第１プリント配線板６００、複数種類の電子部品６０１、受け側コネクタ６４、入力端子台６０３、出力コネクタ６０２、及び第１コネクタ６０４を有している。複数の種類の電子部品６０１のうちでリード付きの電子部品６０１が第１プリント配線板６００の下面（部品面）に挿入実装されている。また、複数種類の電子部品６０１のうちで表面実装型の電子部品６０１が第１プリント配線板６００の上面（はんだ面）に表面実装されている。ただし、第１プリント配線板６００の部品面には、受け側コネクタ６４、入力端子台６０３、出力コネクタ６０２及び第１コネクタ６０４も挿入実装されている。
【００５４】
出力コネクタ６０２は、一対のコンタクト６０２０を有している（図１１参照）。出力コネクタ６０２の各コンタクト６０２０は、非常用光源ユニット４の一対の端子板４２のうちの対応する端子板４２と接触して導通する。
【００５５】
受け側コネクタ６４は、第１コンタクト受け６４１と、第２コンタクト受け６４２と、ベース６４０とを有している（図１１参照）。ベース６４０は、電気絶縁性を有した合成樹脂材料によって矩形の板状に形成されている。第１コンタクト受け６４１及び第２コンタクト受け６４２は棒状に形成されて、ベース６４０を厚み方向に貫通した状態でベース６４０に支持されている。第１コンタクト受け６４１は、非常用電源ユニット５の第１コンタクト５７の枠体５７０内に挿入された状態において、枠体５７０内のばね体によって枠体５７０に押し付けられることで第１コンタクト５７と電気的に接続される。第２コンタクト受け６４２は、非常用電源ユニット５の第２コンタクト５８の枠体内に挿入された状態において、枠体内のばね体によって枠体に押し付けられることで第２コンタクト５８と電気的に接続される。
【００５６】
第１回路ブロック６０は、第１プリント配線板６００に形成されているプリント配線と、第１プリント配線板６００の部品面及びはんだ面に実装されている複数種類の電子部品６０１とで構成されたプリント回路を有している。第１回路ブロック６０のプリント回路は、例えば、直流電源回路、充電回路、点灯回路、停電検出回路、制御回路を含んでいる。直流電源回路は、例えば、リンギングチョークコンバータなどの自励型のスイッチング電源回路で構成され、常用電源から入力端子台６０３に入力される交流電圧を直流電圧に変換するように構成されている。充電回路は、常用電源から給電されているときに受け側コネクタ６４を通して一定の充電電流を出力するように構成されている。点灯回路は、非常用電源ユニット５から受け側コネクタ６４に入力される直流電流を定電流化し、定電流化した出力電流を出力コネクタ６０２より非常用光源ユニット４に供給するように構成されている。停電検出回路は、直流電源回路の出力電圧から常用電源の停電を検出して制御回路に通知するように構成されている。制御回路は、停電検出回路が常用電源の停電を検出していないときに充電回路を動作させ、かつ、点灯回路を停止させるように構成されている。また、制御回路は、停電検出回路が常用電源の停電を検出しているときに充電回路を停止させ、かつ、点灯回路を動作させるように構成されている。
【００５７】
第２回路ブロック６１は、矩形板状の第２プリント配線板６１０、２つの押釦スイッチ６１１、６１２、表示素子６１３、受光素子６１４並びに第２コネクタ６１５を有している。第２コネクタ６１５は、第２プリント配線板６１０の下面における長手方向の一端（前端）に実装されている。一方の押釦スイッチ６１１は、第２プリント配線板６１０の下面における第２コネクタ６１５の後方に実装されている。他方の押釦スイッチ６１２は、第２プリント配線板６１０の下面における長手方向の他端（後端）に実装されている。表示素子６１３は、例えば、緑色光を放射するＬＥＤチップを有している。表示素子６１３は、第２プリント配線板６１０の下面における押釦スイッチ６１２の前方に実装されている。受光素子６１４は、赤外線を通信媒体とする制御信号を受信し、受信した制御信号から送信フレームを復調するように構成されている。この制御信号は、定期点検の作業を行う作業者に操作されるリモートコントローラから送信される。受光素子６１４は、第２プリント配線板６１０の下面における表示素子６１３と押釦スイッチ６１１の間に実装されている。第２コネクタ６１５は、例えば、ケーブルによって第１回路ブロック６０の第１コネクタ６０４と電気的に接続される。第１回路ブロック６０の制御回路は、ケーブルを通して各押釦スイッチ６１１、６１２の操作状態（オン及びオフ）を監視するように構成されている。また、制御回路は、受光素子６１４で復調される制御信号の送信フレームを、ケーブルを通して受け取るように構成されている。さらに、制御回路は、第１回路ブロック６０の充電回路が動作している場合、ケーブルを通して表示素子６１３に電流を流すことで表示素子６１３を発光させるように構成されている。
【００５８】
なお、制御回路は、一方の押釦スイッチ６１１がオンされた場合、及び受光素子６１４から送信フレームを受け取った場合、定期点検動作を行うように構成されている。定期点検動作とは、充電回路を停止させ、かつ、点灯回路を動作させることである。さらに、制御回路は、他方の押釦スイッチ６１２がオンされた場合、自己点検動作を行うように構成されている。自己点検動作とは、充電回路を停止するとともに点灯回路を数秒間動作させた後、再度、点灯回路を停止させ、かつ、充電回路を動作させることである。ただし、制御回路は、自己点検動作を行うように指示する送信フレームを受光素子６１４から受け取った場合も自己点検動作を行うように構成されることが好ましい。
【００５９】
筐体６２は、第１筐体６２０と第２筐体６２１を有している。第１筐体６２０は、底部６２００と、側壁部６２０１とを有している。底部６２００は、おおよそ矩形の箱形に形成されている。底部６２００は、第１回路ブロック６０の第１プリント配線板６００のはんだ面を厚み方向（上下方向）から支持するように構成されている。側壁部６２０１は、板状に形成されている。側壁部６２０１は、ヒンジを介して底部６２００に連結されている。ゆえに、側壁部６２０１は、ヒンジを軸にして底部６２００に対して回転可能となるように構成されている。また、側壁部６２０１は、第２回路ブロック６１の第２プリント配線板６１０の長手方向に沿った端部（左端部）を厚み方向から挟んで支持するように構成されている。
【００６０】
第２筐体６２１は、上面及び左側面が開放された箱状に形成されている。第２筐体６２１は、第１筐体６２０と結合される。第２筐体６２１の上面は、第１筐体６２０の底部６２００によって閉じられる。また、第２筐体６２１の左側面は、第１筐体６２０の側壁部６２０１によって閉じられる。
【００６１】
第２筐体６２１は、下面の左端から下方へ突出する突台部６２１０を有している（図１１参照）。突台部６２１０は、おおよそ角錐台状に形成されている。突台部６２１０は、２つの操作部材（第１操作部材６２１４及び第２操作部材６２１５）を有している。第１操作部材６２１４は、突台部６２１０の下面における前端に設けられている。また、第２操作部材６２１５は、突台部６２１０の下面における後端に設けられている。第１操作部材６２１４及び第２操作部材６２１５は、突台部６２１０の下面に対して上下方向に移動可能となるように構成されている。つまり、上向きに押された第１操作部材６２１４が押釦スイッチ６１１の押釦を押すことにより、押釦スイッチ６１１がオンする。また、上向きに押された第２操作部材６２１５が押釦スイッチ６１２の押釦を押すことにより、押釦スイッチ６１２がオンする。さらに、突台部６２１０の下面において第１操作部材６２１４と第２操作部材６２１５の間に、円形の窓６２１６、６２１７が２つ設けられている。前方の窓６２１６は、上下方向において第２回路ブロック６１の受光素子６１４と対向している。後方の窓６２１７は、上下方向において第２回路ブロック６１の表示素子６１３と対向している。つまり、リモートコントローラから送信される制御信号は、前方の窓６２１６を通して受光素子６１４に到達する。また、表示素子６１３が発する光（緑色光）は、後方の窓６２１７を通して筐体６２の外に放射される。
【００６２】
また、第２筐体６２１は、右端に３つの開口部６２１１、６２１２、６２１３を有している。これら３つの開口部６２１１、６２１２、６２１３は、前後方向に沿って一列に並んでいる（図１１参照）。前端の開口部６２１１は、第１回路ブロック６０の受け側コネクタ６４と対向している。後端の開口部６２１３は、入力端子台６０３が挿通される。中央の開口部６２１２は、出力コネクタ６０２と対向している（図１０参照）。
【００６３】
放熱板６３は、非常用光源ユニット４が取り付けられる取付部６３０と、一対の脚部６３１と、一対の固定部６３２とを有している（図１１参照）。取付部６３０は、おおよそ台形状に形成されている。一対の脚部６３１は、平坦な板状に形成されて取付部６３０の前端及び後端から上方向へ突出している。一対の固定部６３２は、一対の脚部６３１の上端から前後方向に沿って互いに近付く向きに突出している。ただし、本実施形態では、取付部６３０と一対の脚部６３１と一対の固定部６３２とは、アルミ又はアルミ合金製の板材によって一体に形成されている。
【００６４】
放熱板６３は、取付部６３０を第２筐体６２１の下面に対向させ、一対の脚部６３１を第２筐体６２１の前面及び後面に対向させ、一対の固定部６３２を第１筐体６２０の底部６２００の上面に引っ掛けるようにして筐体６２に取り付けられる（図１０参照）。また、放熱板６３は、一対の脚部６３１に設けられている矩形の嵌合孔６３３のそれぞれに、第２筐体６２１の上面及び下面の上端から突出する突部６２１８を嵌合させることによって筐体６２に対して位置決めされている（図１０及び図１１参照）。
【００６５】
非常用光源ユニット４は、放熱板６３の取付部６３０に設けられているねじ孔６３００に対してホルダ４１がねじ止めされることによって取付部６３０に取り付けられている（図１０及び図１１参照）。また、非常用光源ユニット４は、第２筐体６２１の中央の開口部６２１２から露出する出力コネクタ６０２にホルダ４１の端子板保持部４１０が差込接続されることにより、制御装置６の第１回路ブロック６０と電気的に接続される。さらに、ＬＥＤモジュール４０は、放熱シートを介して取付部６３０（放熱板６３）と熱的に結合される。
【００６６】
制御装置６は、器具本体１０内の左端に収容される（図６参照）。制御装置６は、放熱板６３の一対の固定部６３２が天板１１にねじ止めされることによって器具本体１０に固定されることが好ましい。つまり、ＬＥＤモジュール４０が発する熱は、放熱シートから放熱板６３に伝導され、さらに、放熱板６３から器具本体１０に伝導されて放熱される。
【００６７】
（２．４．５）押さえ具
押さえ具８は、図９Ａ〜９Ｃ及び図１０に示すように、主片８０、引掛片８１、側片８２、第１差込片８３、第２差込片８４、及び第３差込片８５を有している。なお、本実施形態では、主片８０、引掛片８１、側片８２、第１差込片８３、第２差込片８４及び第３差込片８５は、金属板によって一体に形成されている。
【００６８】
主片８０は、下方から見てＬ字状に形成されている。主片８０は、雌ねじ部８００を有している（図１０参照）。引掛片８１は、円弧状に湾曲した湾曲部８１０と、湾曲部８１０と主片８０を連結する連結部８１１と、湾曲部８１０の下端から突出する矩形の平坦部８１２とを有している（図９Ａ〜９Ｃ参照）。引掛片８１は、連結部８１１によって主片８０の左端の下部と連結されている。なお、引掛片８１は、連結部８１１が厚み方向に撓むことにより、湾曲部８１０を左右方向に変位可能とするように構成されている。側片８２は、矩形に形成されている。側片８２は、主片８０の後端から下向き及び左向きに突出している。側片８２の下部は後方に向かって傾斜している。第１差込片８３及び第２差込片８４は、前後方向から見てＬ字状に形成されている（図９Ｂ参照）。なお、第２差込片８４は、主片８０に切り起こし形成されることが好ましい。第３差込片８５は、前後方向から見てＬ字状に形成されている（図９Ｂ参照）。第３差込片８５は、側片８２の左端の上端から上方向へ突出している（図９Ｂ参照）。
【００６９】
押さえ具８は、天板１１を貫通する３つの孔に第１差込片８３、第２差込片８４及び第３差込片８５が一対一に対応して差し込まれ、第１差込片８３、第２差込片８４及び第３差込片８５のそれぞれが天板１１を挟むように構成されている。そして、押さえ具８は、天板１１に設けられるねじ挿通孔に挿通されたねじが主片８０の雌ねじ部８００にねじ込まれることによって天板１１の下面に取り付けられる。
【００７０】
非常用電源ユニット５は、器具本体１０の天板１１に取り付けられた制御装置６と押さえ具８の間に配置される（図６参照）。非常用電源ユニット５は、ケースボディ５２を天板１１に対向させた状態で器具本体１０内の制御装置６と押さえ具８の間の空間に収容される。非常用電源ユニット５の端子保持部５２７は、第２筐体６２１の前端の開口部６２１１を通して筐体６２内に挿入される。このとき、端子保持部５２７のガイド片５２７１が、第２筐体６２１の前面の右端に設けられているガイド溝６２１９に案内される（図１０参照）。そして、非常用電源ユニット５の第１コンタクト５７が、制御装置６の第１コンタクト受け６４１と電気的に接続される。また、非常用電源ユニット５の第２コンタクト５８が、制御装置６の第２コンタクト受け６４２と電気的に接続される。さらに、非常用電源ユニット５は、ケース５１に設けられた突部５２４に、押さえ具８の引掛片８１の湾曲部８１０を引っ掛けることによって押さえ具８に支持される（図９Ａ及び図１０参照）。ここで、引掛片８１は、平坦部８１２に加えられる力によって連結部８１１が撓むと、湾曲部８１０が右向きに変位して湾曲部８１０と突部５２４との引っ掛かりが解除される。そして、非常用電源ユニット５は、湾曲部８１０と突部５２４との引っ掛かりが解除された状態で下向きに引っ張られると、第１コンタクト５７及び第２コンタクト５８が第１コンタクト受け６４１及び第２コンタクト受け６４２から引き抜かれる。つまり、作業者は、非常用電源ユニット５の器具本体１０への収容作業とほぼ同時に非常用電源ユニット５と制御装置６との電気的な接続作業を完了させることができる。また、作業者は、非常用電源ユニット５の器具本体１０からの取り外し作業とほぼ同時に非常用電源ユニット５と制御装置６との電気的な接続解除作業を完了させることができる。
【００７１】
（２．４．６）カバー
カバー７は、非常用光源ユニット４から放射される光が通過する孔７１１を有して、制御装置６及び非常用光源ユニット４を覆うように構成されている。さらに、本実施形態のカバー７は、制御装置６及び非常用光源ユニット４以外に、非常用電源ユニット５も覆うように構成されている。カバー７は、図６に示すように、カバー本体７０と、一対の係止部７４，７４と、固定部７５とを有している。
【００７２】
カバー本体７０は、図９Ａに示すように、第１カバー体７１と第２カバー体７２と連結体７３とから構成されている。第１カバー体７１は、非常用光源ユニット４、制御装置６及び非常用電源ユニット５の一部（左端部）を下から覆うように構成されている。第２カバー体７２は、非常用電源ユニット５の残り全部を下から覆うように構成されている。第１カバー体７１と第２カバー体７２は、前後方向から見てＬ字状に形成されている長尺の連結体７３によって左右方向に並ぶように連結されている。本実施形態では、第１カバー体７１、第２カバー体７２及び連結体７３は、金属のような不燃性の材料によって一体に形成される。カバー７は、例えばアルミダイカストで構成される。
【００７３】
第１カバー体７１は、上面に矩形状の開口部を有した箱形に形成されている。第１カバー体７１は、図９Ａに示すように、下方から見たときに矩形状に形成されている。第１カバー体７１の下面は、常用照明装置２の透光カバー２０と同様に、短手方向（前後方向）において両端から中央に向かってなだらかに下向きに突出する曲面形状に形成されている（図６参照）。第１カバー体７１の下面に窪み７１０が形成されている。窪み７１０は、下方から見た形状が楕円形に形成されている。孔７１１は、窪み７１０の中央（底）に、上下方向に貫通して設けられている。孔７１１は、レンズ４４のレンズ本体４４０が挿通可能な形状（楕円形状）に形成されている。窪み７１０は、その長軸方向（左右方向）の両端を、その短軸方向（前後方向）の両端よりも下方へ突出させるように形成されている（図９Ｂ参照）。
【００７４】
第２カバー体７２は、前後方向から見てＬ字状に形成されていて、非常用電源ユニット５の一部を覆うように構成されている。具体的には、第２カバー体７２は、図１０に示すように、平坦部７２０と腕部７２１とを有している。平坦部７２０は、おおよそ矩形平板状に形成されている。平坦部７２０は、その左端において連結体７３と連結されている。腕部７２１は、おおよそ矩形平板状に形成されている。腕部７２１は、平坦部７２０の右端における前端から上方へ立ち上るように構成されている。
【００７５】
固定部７５は、おおよそ矩形平板状に形成されている。固定部７５は、腕部７２１の上端から右方へ突出するように構成されている。また、固定部７５は、その前方寄りの右隅に円形のねじ挿通孔７５０を有している。
【００７６】
係止部７４，７４は、常用照明装置２及び非常用照明装置３が並ぶ並び方向（左右方向）における、カバー本体７０の一端部（左端部）に設けられている。言い換えると、係止部７４，７４は、第１カバー体７１の左端部に設けられている。係止部７４は、器具本体１０の突起１００に係止するための部位である。各係止部７４は、一例として板ばね（弾性部材）である。
【００７７】
以下、第１カバー体７１について、さらに具体的に説明する。第１カバー体７１は、図９Ａに示すように、第１側壁部７１Ａ及び第２側壁部７１Ｂと、左右方向において第１側壁部７１Ａ及び第２側壁部７１Ｂを互いに対向するように連結する湾曲底部７１Ｃとから構成されている。第１側壁部７１Ａ、第２側壁部７１Ｂ及び湾曲底部７１Ｃは、一体となって形成されている。
【００７８】
第１側壁部７１Ａは、湾曲底部７１Ｃの左側に配置され、第２側壁部７１Ｂは、湾曲底部７１Ｃの右側に配置されている。第１側壁部７１Ａ及び第２側壁部７１Ｂの各々は、左右方向に沿って見たときにその下辺が略円弧状に形成されている。第２側壁部７１Ｂの上端部は、連結体７３によって第２カバー体７２と連結している。
【００７９】
湾曲底部７１Ｃは、上下方向に沿って見たときに矩形状に形成されており、左右方向に沿って見たときに下向きに突出する曲面形状に形成されている。第１カバー体７１の開口部の周縁は、湾曲底部７１Ｃの前側及び後側の上端部と、第１側壁部７１Ａ及び第２側壁部７１Ｂの上端部とによって形成されている。
【００８０】
湾曲底部７１Ｃは、上述した窪み７１０及び孔７１１を有している。非常用光源ユニット４のレンズ本体４４０は、カバー７が器具本体１０に取り付けられた状態において、孔７１１に挿通されてカバー７の外に露出する。また湾曲底部７１Ｃは、第１貫通孔７１２と、第２貫通孔７１３と、第３貫通孔７１４と、第４貫通孔７１５とを有している（図９Ａ参照）。
【００８１】
第１貫通孔７１２は、カバー７が器具本体１０に取り付けられた状態において、制御装置６の第１操作部材６２１４と対向している。第１操作部材６２１４は、第１貫通孔７１２に挿通される治具によって押操作される。制御装置６の第２操作部材６２１５は、カバー７が器具本体１０に取り付けられた状態において、第４貫通孔７１５に挿通されている。第２操作部材６２１５は、例えば、人の指によって押操作される。第２貫通孔７１３は、カバー７が器具本体１０に取り付けられた状態において、制御装置６の受光素子６１４と対向している。第３貫通孔７１４は、カバー７が器具本体１０に取り付けられた状態において、制御装置６の表示素子６１３と対向している。つまり、リモートコントローラから送信される制御信号は、第２貫通孔７１３を通して受光素子６１４に到達する。また、表示素子６１３が発する光（緑色光）は、第３貫通孔７１４を通してカバー７の外に放射される。
【００８２】
第１カバー体７１は、カバー７が器具本体１０に取り付けられた状態において、第１側壁部７１Ａが制御装置６の筐体６２の左端面よりも左方に配置されるように、寸法関係が規定されている。
【００８３】
本実施形態では、カバー７の取付けの際には、作業者は、係止部７４，７４を突起１００と制御装置６との間の隙間から挿入して、器具本体１０の天板１１に向かって押し込む。それにより、突起１００が係止部７４，７４の凸状に湾曲した引掛部分に引っ掛かり、係止部７４の係止状態が達成され、カバー７の左端部が器具本体１０に保持される。この状態で、作業者は、ねじ１９（図３参照）を固定部７５のねじ挿通孔７５０（図６参照）と、押さえ具８の主片８０に設けられたねじ挿通孔８０１（図６参照）とに挿通し、器具本体１０の天板１１に設けられている雌ねじにねじ込む。その結果、カバー７の取付け作業が完了する。なお、照明器具１の梱包時に、後の照明器具１の施工性を考慮して、カバー７は、ねじ１９が予め固定部７５のねじ挿通孔７５０に挿通された状態で梱包される。
【００８４】
（２．５）梱包材
（２．５．１）梱包材の全体構成
以下、本実施形態の梱包材９０について、図１〜図４を参照しながら詳しく説明する。なお、以下の説明では、梱包材９０が器具本体１０の収容凹部１６内に収容された状態、すなわち図４に示す状態を、説明の便宜上、単に「梱包状態」とよぶこともある。
【００８５】
梱包材９０は、「（１）概要」の欄で説明したように、例えば２枚の紙製の段ボールシートから互いに別体となって形成されている保持部９０Ａ及び規制部９０Ｂを備えている（図２Ａ及び２Ｂ参照）。保持部９０Ａは、制御装置６に対して非接続状態にある非常用電源ユニット５を器具本体１０の収容凹部１６内で保持するように構成されている。また、規制部９０Ｂは、器具本体１０の収容凹部１６において非常用光源ユニット４から離されて配置されたカバー７の変位を規制するように構成されている。以下、保持部９０Ａ及び規制部９０Ｂについて、更に詳しく説明する。
【００８６】
（２．５．２）保持部
図２Ａは、１枚の段ボールシートから形成された保持部９０Ａの展開された平面図を示しており、保持部９０Ａは、２つの折り線（第１折り線９９Ａ，第２折り線９９Ｂ）を有している。第１折り線９９Ａ及び第２折り線９９Ｂは、長尺の矩形板状の段ボールシートに対して、その長手方向に沿うようにそれぞれ形成されている。その結果、当該段ボールシートは、幅方向に対して３つの領域に分けられている。
【００８７】
第１折り線９９Ａ及び第２折り線９９Ｂの各々は、例えば、直線状に段を潰す折り線加工を施すことで形成されている。このように予め折り線９９Ａ及び９９Ｂが形成されていることで、梱包を行う作業者は、容易にこれらの折り線に沿って保持部９０Ａを折り曲げて所定の形状へ変形させることができる。保持部９０Ａは、図３に示すように、その所定の形状として、下端（図３では上端）と左右両端とが開放された箱形状（すなわち左右方向から見たときにＵ字形状）へ変形可能となっている。
【００８８】
保持部９０Ａは、上記３つの領域にそれぞれ対応した、底板９００と一対の側板９０１とを有している。具体的には、底板９００と、一対の側板９０１のうち長手寸法が短い方の側板９０１（以下、第１側板９０１Ａという）とが、第１折り線９９Ａを境界線として一体となっている。また、底板９００と、一対の側板９０１のうち長手寸法が長い方の側板９０１（以下、第２側板９０１Ｂという）とが、第２折り線９９Ｂを境界線として一体となっている。
【００８９】
底板９００は、図２Ａに示すように、おおむね左右方向に沿って長尺のＬ字板状に形成されている。底板９００は、梱包状態において、収容凹部１６の底面（天板１１の下面）と面接触して配置される。
【００９０】
底板９００は、本体部９００１と突起受部９００２とを有している。本体部９００１は、梱包状態において、主として非常用電源ユニット５が載せ置かれる部位となる。したがって、本体部９００１の表面積は、非常用電源ユニット５が本体部９００１に載せ置かれた状態において、非常用電源ユニット５の投影領域よりも大きくなるように寸法関係が規定されている。突起受部９００２は、梱包状態において、カバー７から収容凹部１６の底面に向かって突出している突起部位と当該底面との間に配置される部位となる。ここで言う「突起部位」とは、一例として、予めカバー７の固定部７５のねじ挿通孔７５０に挿通されたねじ１９に相当する。
【００９１】
本体部９００１及び突起受部９００２は、それぞれ矩形板状に形成されている。突起受部９００２は、本体部９００１の右端から右方向に連続して延びている。本体部９００１の表面と突起受部９００２の表面とは、互いに面一となっている。突起受部９００２の左右方向における寸法は、本体部９００１の左右方向における寸法よりもやや小さくなるように寸法関係が規定されている。また、突起受部９００２の前後方向における寸法は、本体部９００１の前後方向における寸法よりも小さくなるように寸法関係が規定されている。
【００９２】
本体部９００１は、左端における第１折り線９９Ａ及び第２折り線９９Ｂの近傍にそれぞれ一対の溝部９０２を有している（図２Ａ参照）。各溝部９０２は、本体部９００１の該当する部位に対して切り欠き加工を施すことによって、突起受部９００２に近づく方向に矩形状に窪んでいる。
【００９３】
また、本体部９００１は、切り込み９００Ａを有している（図２Ａ参照）。切り込み９００Ａは、底板９００全体で見たときに、底板９００の第２折り線９９Ｂ近傍において左右方向の中央よりもやや左寄りの位置に設けられている。切り込み９００Ａは、本体部９００１の該当する部位に対して十字形状に切り込み加工を施すことによって形成されている。
【００９４】
突起受部９００２は、その前後方向の中央において左右方向に沿って並ぶように配置された２つの切り込み９００Ｂ，９００Ｃを有している（図２Ａ参照）。切り込み９００Ｂは、突起受部９００２の左右方向における中央よりもやや左寄りの位置に設けられている。切り込み９００Ｃは、突起受部９００２の右端近傍の位置に設けられている。切り込み９００Ｂ及び切り込み９００Ｃの各々は、突起受部９００２の該当する部位に対して十字形状に切り込み加工を施すことによって形成されている。
【００９５】
突起受部９００２は、梱包状態において、カバー７におけるカバー本体７０の第２カバー体７２と固定部７５との両方に対向する部位となる。したがって、突起受部９００２の表面積は、梱包状態において、第２カバー体７２及び固定部７５の投影領域よりもやや大きくなるように寸法関係が規定されている。
【００９６】
本実施形態では、３つの切り込み９００Ａ〜９００Ｃのうち切り込み９００Ｂのみが使用される。すなわち、カバー７から突出しているねじ１９（突起部位）の先端が切り込み９００Ｂの中心に当てられることで、梱包時におけるねじ１９の位置決めが成される。なお、この梱包材９０は、図示される照明器具１よりも長手方向（左右方向）の寸法が異なる別の照明器具にも適用可能である。そのため、当該別の照明器具を梱包する際に、当該別の照明器具のカバーから突出する突起部位が、本実施形態では不使用の切り込み９００Ａ又は切り込み９００Ｃに挿入されてもよい。
【００９７】
第１側板９０１Ａは、梱包を行う作業者が第１折り線９９Ａに沿って底板９００に対して立ち上るように折り曲げることで、おおむね上下方向に沿って延びる側板となる。すなわち、第１側板９０１Ａは、梱包状態において、非常用電源ユニット５のケース５１の前端部と接触する。また、第２側板９０１Ｂも、梱包を行う作業者が第２折り線９９Ｂに沿って底板９００に対して、第１側板９０１Ａと同じ側に立ち上るように折り曲げることで、おおむね上下方向に沿って延びる側板となる。第２側板９０１Ｂは、梱包状態において、非常用電源ユニット５のケース５１の後端部と接触する。
【００９８】
第１側板９０１Ａと第２側板９０１Ｂとは、図１及び図４に示すように、梱包状態において、その互いに対向し合う内面同士がおおむね平行となる。つまり、第１側板９０１Ａと第２側板９０１Ｂとは、底板９００の厚み方向及び長手方向に直交する幅方向における、底板９００の両端（前後端）からそれぞれ立ち上がった状態となる。保持部９０Ａは、梱包状態において、底板９００と第１側板９０１Ａと第２側板９０１Ｂとによって囲まれた空間９０３（図３参照）内に非常用電源ユニット５を収容するように構成されている。
【００９９】
梱包状態において、図４に示すように、第１側板９０１Ａの外面（前面）から第２側板９０１Ｂの外面（後面）までの距離Ｄ１は、器具本体１０の収容凹部１６の前後方向における寸法と等しいか又は僅かに大きくなるように寸法関係が規定されている。要するに、梱包状態において、第１側板９０１Ａ及び第２側板９０１Ｂは、それぞれ、収容凹部１６の内側面とおおむね隙間なく面接触するように構成されている。したがって、梱包状態において、保持部９０Ａは、空間９０３内に収まった非常用電源ユニット５と共に、器具本体１０の収容凹部１６に対して安定的に収容される。言い換えると、梱包状態において、保持部９０Ａの、収容凹部１６の長手方向に対する変位が抑制されている。
【０１００】
第１側板９０１Ａは、非常用電源ユニット５から底板９００の幅方向（前後方向）に沿って突出している突出部位を逃がすための第１逃がし溝９０１１を有している。第１逃がし溝９０１１は、保持部９０Ａが箱状に折り曲げられた状態（図３参照）で説明すると、第１側板９０１Ａの下端（図３では上端）の左右方向における中央よりもやや右寄りの位置に設けられている。第１逃がし溝９０１１は、第１側板９０１Ａの該当する部位に対して切り欠き加工を施すことによって、底板９００に向かって窪んで形成されている。本実施形態では、第１逃がし溝９０１１は、第１側板９０１Ａの厚み方向に沿って見たときに、矩形状となっている。
【０１０１】
ここで、非常用電源ユニット５のケースカバー５３の第２底壁５３４は、その前端にやや突出した縁５３４０を有し（図３及び図１２参照）、第１逃がし溝９０１１は、非常用電源ユニット５の縁５３４０（突出部位）を逃がす機能を有している。したがって、縁５３４０が保持部９０Ａ自身又は器具本体１０の内側面と接触して傷ついてしまう可能性を低減することができる。
【０１０２】
一方、第２側板９０１Ｂも、非常用電源ユニット５から底板９００の幅方向（前後方向）に沿って突出している突出部位を逃がすための第２逃がし溝９０１２を有している。第２逃がし溝９０１２は、保持部９０Ａが箱状に折り曲げられた状態（図３参照）で説明すると、第２側板９０１Ｂの下端（図３では上端）の左右方向における中央よりもやや右寄りの位置に設けられている。第２逃がし溝９０１２は、第２側板９０１Ｂの該当する部位に対して切り欠き加工を施すことによって、底板９００に向うほど幅狭となるようなテーパ状に窪んで形成されている。本実施形態では、第２逃がし溝９０１２は、第２側板９０１Ｂの厚み方向に沿って見たときに、三角形状となっている。
【０１０３】
ここで、「（２．４．３）非常用電源ユニット」の欄で説明したように、非常用電源ユニット５は、端子保持部５２７の前面から前方へ突出しているガイド片５２７１を有している。ガイド片５２７１が制御装置６の第２筐体６２１に設けられているガイド溝６２１９に案内されることで、非常用電源ユニット５の第１コンタクト５７（図１２参照）が、制御装置６の第１コンタクト受け６４１（図１１参照）と電気的に接続される。また、非常用電源ユニット５の第２コンタクト５８（図１２参照）が、制御装置６の第２コンタクト受け６４２（図１１参照）と電気的に接続される。要するに、ガイド片５２７１は、非常用電源ユニット５と制御装置６との電気的に接続するためのガイドとして機能するものである。そして、本実施形態では、第２逃がし溝９０１２は、非常用電源ユニット５のガイド片５２７１（突出部位）を逃がす機能を有している。したがって、ガイド片５２７１が保持部９０Ａ自身又は器具本体１０の内側面と接触して傷ついてしまう可能性を低減することができる。
【０１０４】
要するに、本実施形態では、一例として、非常用電源ユニット５から底板９００の幅方向に沿って突出している「突出部位」とは、非常用電源ユニット５の縁５３４０とガイド片５２７１とに相当する。
【０１０５】
（２．５．３）規制部
図２Ｂは、１枚の段ボールシートから形成された規制部９０Ｂの展開された平面図を示しており、規制部９０Ｂは、２つの折り線（第３折り線９９Ｃ，第４折り線９９Ｄ）を有している。第３折り線９９Ｃ及び第４折り線９９Ｄは、細長矩形板状の段ボールシートに対して、その長手方向と厚み方向とに直交する幅方向に沿うようにそれぞれ形成されている。その結果、当該段ボールシートは、長手方向に対して３つの領域に分けられている。なお、規制部９０Ｂは、左右方向において面対称となる構成を採用している（図２Ｂ参照）。
【０１０６】
第３折り線９９Ｃ及び第４折り線９９Ｄの各々は、例えば、直線状に段を潰す折り線加工を施すことで形成されている。このように予め折り線９９Ｃ及び９９Ｄが形成されていることで、梱包を行う作業者は、容易にこれらの折り線に沿って規制部９０Ｂを折り曲げて所定の形状へ変形させることができる。規制部９０Ｂは、図３に示すように、その所定の形状として、左端と上下両端とが開放された箱形状（すなわち上下方向から見たときにＵ字形状）へ変形可能となっている。
【０１０７】
規制部９０Ｂは、上記３つの領域にそれぞれ対応した、連結壁９０４と一対の側壁９０５とを有している。具体的には、連結壁９０４と（図２で言えば）左側の側壁９０５（以下、第１側壁９０５Ａという）とが、第３折り線９９Ｃを境界線として一体となっている。また、連結壁９０４と（図２で言えば）右側の側壁９０５（以下、第２側壁９０５Ｂという）とが、第４折り線９９Ｄを境界線として一体となっている。
【０１０８】
連結壁９０４は、図２Ｂに示すように、矩形板状に形成されている。連結壁９０４は、一対の側壁９０５を互いに連結するように構成されている。連結壁９０４は、梱包状態において、カバー７の第１カバー体７１の第２側壁部７１Ｂと対向する部位となる。梱包状態において、図４に示すように、連結壁９０４の前後方向における寸法は、第１側板９０１Ａの内面（後面）から第２側板９０１Ｂの内面（前面）までの距離Ｄ２よりもやや小さくなるように寸法関係が規定されている。
【０１０９】
第１側壁９０５Ａ及び第２側壁９０５Ｂは、互いに同形（細長矩形板形状）で同寸法を有している。第１側壁９０５Ａ及び第２側壁９０５Ｂの各々は、凹み９０５１と挿入部９０５２とを有している。
【０１１０】
各凹み９０５１は、梱包状態において、天板１１から離れる方向に窪んでいる。各凹み９０５１は、梱包状態において、非常用電源ユニット５のケースカバー５３の第２底壁５３４を逃がすための機能を有している。ここで、第１側壁９０５Ａ及び第２側壁９０５Ｂは、梱包状態において、保持部９０Ａの一対の側板９０１よりも内側に配置されるように収容される（図４参照）。さらに、第１側壁９０５Ａ及び第２側壁９０５Ｂは、梱包状態において、これらの上端（図３では下端）が、段差を有する非常用電源ユニット５のケースカバー５３に対して上下方向において安定的に接触できるように構成されている。したがって、非常用電源ユニット５は、保持部９０Ａの空間９０３内に収容されるだけでなく、規制部９０Ｂの第１側壁９０５Ａ及び第２側壁９０５Ｂとの接触により、器具本体１０内における変位（がたつき）が更に抑制される。
【０１１１】
一対の挿入部９０５２，９０５２は、それぞれ矩形板状に形成されていて、梱包状態において各側壁９０５の左端から天板１１に近づく方向に突出している。一対の挿入部９０５２，９０５２は、梱包時において、保持部９０Ａの一対の溝部９０２，９０２に、それぞれ一対一に挿入（嵌合）されて保持部９０Ａに対して規制部９０Ｂが位置決めされる。
【０１１２】
本実施形態では、連結壁９０４と第１側壁９０５Ａ及び第２側壁９０５Ｂの右端とが、梱包状態において、保持部９０Ａの底板９００との間で、底板９００の厚み方向に沿ってカバー７の第２カバー体７２（及びねじ１９）を挟み込むように構成されている。したがって、梱包状態において、器具本体１０に対するカバー７の変位（がたつき）が抑制される。
【０１１３】
（２．６）梱包装置
本実施形態の梱包装置９は、「（１）概要」の欄で説明したように、梱包材９０と外装箱９１とを備えている。本実施形態では、常用照明装置２は、梱包装置９によって梱包されるのではなく、別梱包により輸送及び保管される。
【０１１４】
外装箱９１は、器具本体１０及び非常用照明装置３を収容可能に構成されている。外装箱９１は、略矩形板状の１枚の段ボールシートから形成されている。図５Ａは、外装箱９１が展開された様子を示している。外装箱９１は、その長手方向と幅方向とに沿ってそれぞれ形成された複数の折り線を有している（図５Ａ参照）。外装箱９１は、これらの折り線に沿って略９０度に折り曲げることにより、細長い直方体形状の箱型となる（図５Ｂ参照）。
【０１１５】
（２．７）照明器具の梱包手順
以下、照明器具１の器具本体１０及び非常用照明装置３の梱包作業の手順について説明する。ただし、以下で説明する梱包手順（Ａ）〜（Ｅ）は、単なる一例である。照明器具１は、下記の手順とは異なる手順によって梱包されてもよい。なお、ここでは、常用照明装置２の梱包手順については、説明を省略する。
【０１１６】
（Ａ）梱包作業を行う作業者は、まず、非常用照明装置３のカバー７を、器具本体１０の収容凹部１６内における左端に収容されている非常用照明装置３の非常用光源ユニット４及び制御装置６とは反対側の、器具本体１０の右端に配置する。つまり、作業者は、カバー７を、非常用光源ユニット４の前方に取付けることなく、非常用光源ユニット４から離した状態で配置する。このとき、作業者は、カバー７の係止部７４が収容凹部１６内に収まるように、カバー７の第１カバー体７１を器具本体１０の右端にある突起１００及び一対の第１側板１２の右端近傍に載せ置く。このとき、カバー７の係止部７４が突起１００に接触しているため、カバー７の右側への更なる変位は規制される。
【０１１７】
（Ｂ）作業者は、梱包材９０の保持部９０Ａを図３に示すようにＵ字状に折り曲げた状態とし（空間９０３の形成）、非常用照明装置３の非常用電源ユニット５を保持部９０Ａの空間９０３内に収容する。このとき作業者は、非常用電源ユニット５の縁５３４０及びガイド片５２７１を第１逃がし溝９０１１及び第２逃がし溝９０１２にそれぞれ挿入する。これにより、梱包状態において、縁５３４０及びガイド片５２７１が、保持部９０Ａ自身又は器具本体１０の内側面と接触して傷ついてしまう可能性を低減することができる。
【０１１８】
（Ｃ）作業者は、この状態を保ちながら保持部９０Ａの突起受部９００２をカバー７側に向けつつ収容凹部１６内に収容する。ここで、突起受部９００２をカバー７から突出しているねじ１９（突起部位）と天板１１との間に挿入して、更にねじ１９の先端を突起受部９００２の切り込み９００Ｂの中心に当てる。これにより、梱包状態において、ねじ１９が器具本体１０の底面と接触して当該底面が傷ついてしまう可能性を低減することができる。
【０１１９】
（Ｄ）そして、作業者は、梱包材９０の規制部９０Ｂを図３に示すようにＵ字状に折り曲げて、この状態を保ちながら連結壁９０４をカバー７側に向けつつ規制部９０Ｂを収容凹部１６内に収容する。ここで、作業者は、規制部９０Ｂの左端にある一対の挿入部９０５２，９０５２を保持部９０Ａの一対の溝部９０２，９０２にそれぞれ一対一に挿入（嵌合）する。更に、作業者は、連結壁９０４と第１側壁９０５Ａ及び第２側壁９０５Ｂの右端とをカバー７の第２カバー体７２に載せ置く。このとき、第１側壁９０５Ａ及び第２側壁９０５Ｂは、非常用電源ユニット５のケースカバー５３に対して上下方向において安定的に接触する。
【０１２０】
（Ｅ）最後に、作業者は、器具本体１０を外装箱９１の底板９１１（図５Ａ参照）に載せ置き、器具本体１０を覆うように外装箱９１の折り線に沿って折り曲げて、テープ９２で留める（図５Ｂ参照）。その結果、梱包材９０により非常用電源ユニット５が保持されて、かつ、梱包材９０によりカバー７の変位が規制された状態で、非常用照明装置３及び器具本体１０が外装箱９１内に収容されることになる。
【０１２１】
（２．８）照明器具の施工性を考慮した梱包
ところで、本実施形態の照明器具１では、制御装置６と非常用電源ユニット５とが配線による接続ではなく、非常用電源ユニット５のガイド片５２７１が制御装置６のガイド溝６２１９に案内されることで互いの端子が接触して電気的に接続される。すなわち、非常用照明装置３は、非常用電源ユニット５が制御装置６に対して電気的に接触状態にあるとき、制御装置６の右横に隣接して配置される構造を有している（図９Ｂ参照）。さらにカバー７は、非常用光源ユニット４及び制御装置６だけでなく、第２カバー体７２で非常用電源ユニット５も覆うように構成されている（図９Ａ及び９Ｂ参照）。
【０１２２】
一方で、照明器具１を例えば製造後に梱包する場合、非常用電源ユニット５は、蓄電池５０の電力の消耗を防ぐために制御装置６に対して非接続状態で梱包されることが望ましい。しかし、もし非常用電源ユニット５が制御装置６から離して梱包される一方で、カバー７が係止部７４及びねじ１９により非常用光源ユニット４及び制御装置６を覆うように固定されていると、以下のような作業が発生する。
【０１２３】
すなわち、照明器具１の施工者は、非常用電源ユニット５を取付けるために、係止部７４及びねじ１９により固定されているカバー７を一度取り外してから、非常用電源ユニット５を制御装置６に接続し、再びカバー７を取付ける必要がある。要するに、カバー７を取り外すという余計な手間が存在する。したがって、施工性を考慮すれば、カバー７は、例えば製造後に梱包する場合、非常用電源ユニット５と同様に、非常用光源ユニット４から取り外した状態で同梱されていることが望ましい。
【０１２４】
この点で、梱包材９０が規制部９０Ｂを備えているため、カバー７が予め取り外されていても安定して同梱することができる。要するに、非常用照明装置３の他の構成部品から離して同梱された非常用電源ユニット５を施工時に取付ける際に、一度カバー７を取り外すという余計な作業が無くなる。また、カバー７の変位が規制されるため、照明器具１に対して信頼性の高い梱包状態を維持することができる。例えば照明器具１の輸送中に受ける外力や運搬時の落下衝撃によって、カバー７又は周辺部品に不具合（傷など）が生じる可能性を低くすることができる。
【０１２５】
また、梱包材９０は保持部９０Ａを備えているため、非常用電源ユニット５が器具本体１０の底面に単に載せ置かれる場合に比べて、器具本体１０内における非常用電源ユニット５の変位（がたつき）を抑えることができる。例えば照明器具１の輸送中に受ける外力や運搬時の落下衝撃によって、非常用電源ユニット５又は周辺部品に不具合（傷など）が生じる可能性を低くすることができる。さらに、非常用電源ユニット５が器具本体１０とは別梱包で輸送及び保管される場合に比べて、照明器具１の施工性の低下を抑えることができる。
【０１２６】
要するに、梱包材９０は、保持部９０Ａ及び規制部９０Ｂを備えているため、照明器具１の施工性の低下を抑えつつ、照明器具１に対して信頼性の高い梱包状態を維持することができる。
【０１２７】
（３）変形例
以下に、いくつかの変形例について列記する。以下では上述した実施形態を「基本例」と呼ぶ。以下に説明する変形例も、上述した基本例と適宜組み合わせて適用可能である。
【０１２８】
基本例では、常用照明装置２が梱包装置９によって梱包されるのではなく、別梱包により輸送及び保管されることを想定して説明した。しかし、この限りではなく、梱包装置９の外装箱９１は、常用照明装置２も同梱可能に構成されていてもよい。
【０１２９】
基本例では、保持部９０Ａが第１逃がし溝９０１１及び第２逃がし溝９０１２を有しているが、これらは保持部９０Ａにとって必須の構成要素ではなく、逃がし溝はなくてもよいし、いずれか一方のみを有していてもよい。また、逃がし溝の数は３つ以上であってもよく、非常用電源ユニット５の突出部位の数に依存して適宜に設定すればよい。
【０１３０】
基本例では、保持部９０Ａ及び規制部９０Ｂが互いに別体となって形成されている。しかし、この限りではなく、保持部９０Ａ及び規制部９０Ｂは、互いに一体となって形成されていてもよい。例えば、保持部９０Ａの第１側板９０１Ａから連続的に規制部９０Ｂの第１側壁９０５Ａが形成されていてもよい。この場合、部品点数を減らすことができ、また、保持部９０Ａの溝部９０２及び規制部９０Ｂの挿入部９０５２が不要となる。
【０１３１】
基本例では、カバー７から収容凹部１６の底面に向かって突出している突起部位（例えばねじ１９）がより安定的に位置決めされるように、保持部９０Ａは、切り込み９００Ａ〜９００Ｃを有している。しかし、これらの切り込み９００Ａ〜９００Ｃは、保持部９０Ａにとって必須の構成要素ではなく、設けられていなくてもよい。
【０１３２】
基本例では、梱包状態において、カバー７が器具本体１０の右端に配置されているが、器具本体１０に対するカバー７の位置は特に限定されない。例えば、器具本体１０の収容凹部１６の右端に別の箱型の梱包材を収容して、その梱包材にカバー７の係止部７４が接触するように配置してもよい。
【０１３３】
（４）利点
以上説明したように、第１の態様に係る梱包材９０は、照明器具１の器具本体１０における長尺の収容凹部１６内に収容される保持部９０Ａ及び規制部９０Ｂを備えている。照明器具１の常用照明装置２及び非常用照明装置３は、収容凹部１６内においてその長手方向に沿って支持されるように構成されている。非常用照明装置３は、非常用光源ユニット４と、非常用電源ユニット５と、制御装置６と、カバー７とを備える。制御装置６は、非常用電源ユニット５と電気的に接続されて非常用光源ユニット４を点灯する。カバー７は、非常用光源ユニット４から放射される光が通過する孔７１１を有して、非常用光源ユニット４及び非常用電源ユニット５を覆う。保持部９０Ａは、制御装置６に対して非接続状態にある非常用電源ユニット５を収容凹部１６内で保持するように構成されている。規制部９０Ｂは、収容凹部１６において非常用光源ユニット４から離されて配置されたカバー７の変位を規制するように構成されている。第１の態様によれば、照明器具１の施工性の低下を抑えつつ、照明器具１に対して信頼性の高い梱包状態を維持することができる。
【０１３４】
第２の態様に係る梱包材９０に関して、第１の態様において、保持部９０Ａは、底板９００と、一対の側板９０１とを有することが好ましい。底板９００は、収容凹部１６の底面（天板１１の下面）と対向して配置されることが好ましい。一対の側板９０１は、底板９００の厚み方向及び上記長手方向に直交する幅方向における、底板９００の両端から立ち上がることが好ましい。保持部９０Ａは、底板９００と一対の側板９０１とによって囲まれた空間９０３内に非常用電源ユニット５を収容するように構成されていることが好ましい。第２の態様によれば、器具本体１０内における非常用電源ユニット５の変位をより抑えることができる。
【０１３５】
第３の態様に係る梱包材９０に関して、第２の態様において、一対の側板９０１のうち少なくとも一方の側板９０１は、逃がし溝（第１逃がし溝９０１１、第２逃がし溝９０１２）を有していることが好ましい。逃がし溝（第１逃がし溝９０１１、第２逃がし溝９０１２）は、非常用電源ユニット５から上記幅方向に沿って突出している突出部位（縁５３４０、ガイド片５２７１）を逃がすための溝であることが好ましい。第３の態様によれば、非常用電源ユニット５から上記幅方向に沿って突出している突出部位が存在する場合であっても、保持部９０Ａ自身又は器具本体１０の内側面と接触して当該突出部位が傷ついてしまう可能性を低減することができる。したがって、より信頼性の高い梱包状態を維持することができる。
【０１３６】
第４の態様に係る梱包材９０に関して、第２の態様において、規制部９０Ｂは、保持部９０Ａの底板９００との間で、上記厚み方向に沿ってカバー７の少なくとも一部（第２カバー体７２）を挟み込むように構成されていることが好ましい。第４の態様によれば、器具本体１０に対するカバー７の変位をより抑えることができる。
【０１３７】
第５の態様に係る梱包材９０に関して、第１の態様〜第４の態様のいずれか１つにおいて、保持部９０Ａは、カバー７から収容凹部１６の底面に向かって突出している突起部位（ねじ１９）と当該底面との間に配置される突起受部９００２を有していることが好ましい。第５の態様によれば、カバー７から収容凹部１６の底面に向かって突出している突起部位が存在する場合であっても、例えば器具本体１０の底面と接触して当該突起部位又は当該底面が傷ついてしまう可能性を低減することができる。したがって、より信頼性の高い梱包状態を維持することができる。
【０１３８】
第６の態様に係る梱包材９０に関して、第１の態様〜第５の態様のいずれか１つにおいて、保持部９０Ａと規制部９０Ｂとは、互いに一体となって形成されていることが好ましい。第６の態様によれば、保持部９０Ａと規制部９０Ｂが互いに別体となって形成されている場合に比べて、梱包材９０の部材点数を減らすことができる。
【０１３９】
第７の態様に係る梱包材９０に関して、第１の態様〜第５の態様のいずれか１つにおいて、保持部９０Ａと規制部９０Ｂとは、互いに別体となって形成されていることが好ましい。保持部９０Ａは、溝部９０２を有していることが好ましい。規制部９０Ｂは、溝部９０２に挿入されて保持部９０Ａに対して規制部９０Ｂが位置決めされる挿入部９０５２を有していることが好ましい。第７の態様によれば、保持部９０Ａと規制部９０Ｂとが互いに一体となって形成されている場合に比べて、非常用電源ユニット５及びカバー７に対する梱包作業が容易となる。つまり、梱包作業を行う作業者は、先に保持部９０Ａで非常用電源ユニット５を保持させて収容凹部１６内に収容し、その後に規制部９０Ｂでカバー７の変位を規制させることができる。
【０１４０】
第８の態様に係る梱包装置９は、第１の態様〜第７の態様のいずれか１つにおける梱包材９０と外装箱９１と備える。外装箱９１には、梱包材９０の保持部９０Ａにより非常用電源ユニット５が保持されて、かつ、梱包材９０の規制部９０Ｂによりカバー７の変位が規制された状態で、器具本体１０及び非常用照明装置３が収容される。第８の態様によれば、照明器具１の施工性の低下を抑えつつ、照明器具１に対して信頼性の高い梱包状態を維持することが可能な梱包装置９を提供することができる。
【符号の説明】
【０１４１】
１  照明器具
２  常用照明装置
３  非常用照明装置
４  非常用光源ユニット
５  非常用電源ユニット
５２７１  ガイド片（突出部位）
５３４０  縁（突出部位）
６  制御装置
７  カバー
７１１  孔
１０  器具本体
１６  収容凹部
９  梱包装置
９０  梱包材
９０Ａ  保持部
９００  底板
９００２  突起受部
９０１  側板
９０２  溝部
９０３  空間
９０Ｂ  規制部
９０１１  第１逃がし溝（逃がし溝）
９０１２  第２逃がし溝（逃がし溝）
９０５２  挿入部
９１  外装箱
１９  ねじ（突起部位）
【図１】
2018154396.tif 000003
【図２】
2018154396.tif 000004
【図３】
2018154396.tif 000005
【図４】
2018154396.tif 000006
【図５】
2018154396.tif 000007
【図６】
2018154396.tif 000008
【図７】
2018154396.tif 000009
【図８】
2018154396.tif 000010
【図９】
2018154396.tif 000011
【図１０】
2018154396.tif 000012
【図１１】
2018154396.tif 000013
【図１２】
2018154396.tif 000014